(57)【要約】【課題】小びんをアタッチメントから取り出す際に指で直接小びんの頭を押す必要がない安全性に優れた自動販売機用のアタッチメントを提供すること。【解決手段】飲料缶と略同一寸法の筒体（１０）からなり、筒体の内側面にキャップ付きのガラス製小びん（２０）を保持するリブ部（１１）が形成され、リブ部の上方に環状板（１２）が筒体の内側面から突出して形成され、環状板の内側周縁には小びんのキャップ付き部分（２１）を保持する保持壁（１３）が周設され、保持壁の上下縁の内側面にキャップ受け突起（１４）が形成された自動販売機用アタッチメントにおいて、保持壁の先端から中央に向け小びんのキャップを覆う取り出し用のタブ（１５）が、筒体の上端から飛び出さないように筒体と直角方向に突出して形成されている。【選択図】図１
2005276027.tif 000002
【特許請求の範囲】
【請求項１】
飲料缶と略同一の外形寸法を有する筒体からなり、この筒体の内側面に、キャップ付きのガラス製小びんを着脱可能に保持するリブ部が形成され、リブ部の上方には中央が開口した環状板が筒体の内側面から突出して形成され、環状板の内側周縁にはキャップ付き小びんのキャップ付き部分を保持する保護壁が周設され、保持壁の上下縁の内側面にはキャップ受け突起が形成された自動販売機用アタッチメントにおいて、
前記保持壁の先端から中央に向けて小びんのキャップを覆う取り出し用のタブが筒体の上端から飛び出さないように筒体と直角方向に突出して形成されていることを特徴とする、自動販売機用アタッチメント。
【請求項２】
飲料缶と略同一の外形寸法を有する筒体からなり、この筒体の内側面に、キャップ付きのガラス製小びんを着脱可能に保持するリブ部が形成され、リブ部の上方には中央が開口した環状板が筒体の内側面から突出して形成され、環状板の内側周縁にはキャップ付き小びんのキャップ付き部分を保持する保護壁が周設され、保持壁の上下縁の内側面にはキャップ受け突起が形成された自動販売機用アタッチメントにおいて、
前記筒体の上端縁から中央に向けて小びんのキャップを覆う取り出し用のタブが筒体と直角方向に突出して形成されていることを特徴とする、自動販売機用アタッチメント。
【請求項３】
前記取り出し用タブの内面には、キャップ押さえ壁が垂設されていることを特徴とする、請求項１又は２記載の自動販売機用アタッチメント。
【発明の詳細な説明】
【技術分野】
【０００１】
本発明は、飲料缶を販売する自動販売機にドリンク用のガラス瓶を装着可能とする自動販売機装着用アタッチメントに関するものである。
【背景技術】
【０００２】
従来、多種多量の商品が自動販売機で販売されているが、特に、飲料用の金属缶を販売する自動販売機の設置台数は極めて多い。
【０００３】
しかしながら、これまでの自動販売機では、その内部に略円柱形状の飲料缶を装填できる装填機構を有している場合がほとんどであるため、いわゆるドリンク用等のガラス製小びんは瓶首部が括れているため、飲料缶と同様には装填することができず、それ専用の装填機構を自動販売機内に別に設ける必要があり、汎用性に乏しく不便であった。
【０００４】
しかも、装填機構を改良しドリンク用のガラス製小びんを自動販売機内に装着できても、小びんがガラス製であるために機内から取り出し口に落下させる際に割れ易いという問題があった。
【０００５】
それらの問題を解決した発明考案として、例えば、飲料缶と略同一外形寸法を有する筒体からなり、この筒体の内側面に、ドリンク用小びんを着脱可能に保持する保持部と、前記ドリンク用小びんのボトルネック部に係止する弾性爪部とを突設した自動販売機装填用アダプタとしたものがある。
【０００６】
上記先行技術文献を示す。  
【特許文献１】実開平１−１６０５８４号公報（請求項１）  しかし、この発明考案においては、ガラス製小びんをアダプタから取り出す際に、指で小びんの頭を押す必要があり、特に小びんが抜けた瞬間に指がアダプタの内部に入ってしまい、その場合には指が傷ついてしまう可能性が高いという問題がある。
【発明の開示】
【発明が解決しようとする課題】
【０００７】
本発明は、飲料缶詰と略同一外形寸法を有する筒体からなり、この筒体の内側面に、ドリンク用等のガラス製小びんを着脱可能に保持する保持部と、前記ガラス製小びんの瓶首部に係止する弾性爪部とを突設した自動販売機装填用アダプタに関する以上のような問題に鑑みてなされたもので、ガラス製小びんをアダプタから取り出す際に、指で直接小びんの頭を押す必要をなくして指を傷つける可能性の全くない、安全性に優れた自動販売機用アッタチメントを提供することを課題とする。
【課題を解決するための手段】
【０００８】
本発明の請求項１の発明は、飲料缶と略同一の外形寸法を有する筒体からなり、この筒体の内側面に、キャップ付きのガラス製小びんを着脱可能に保持するリブ部が形成され、リブ部の上方には中央が開口した環状板が筒体の内側面から突出して形成され、環状板の内側周縁にはキャップ付き小びんのキャップ付き部分を保持する保持壁が周設され、保持壁の上下縁の内側面にはキャップ受け突起が形成された自動販売機用アッタチメントにおいて、前記保持壁の先端から中央に向けて小びんのキャップを覆う取り出し用のタブが筒体の上端から飛び出さないように筒体と直角方向に突出して形成されていることを特徴とする、自動販売機用アッタチメントである。
【０００９】
このように請求項１記載の発明によれば、保持壁の先端からガラス製小びんのキャップを覆う取り出し用のタブが筒体の上端から飛び出さないように突出して形成されているので、取り出し用のタブを上から指等で押すのみで、指が筒体の中に入り込むことなくキャップ付き小びんを筒体から押し出すことができる。
【００１０】
また、請求項２の発明は、飲料缶と略同一の外形寸法を有する筒体からなり、この筒体の内側面に、キャップ付きのガラス製小びんを着脱可能に保持するリブ部が形成され、筒体の上部内面には中央が開口した環状板が筒体の上部内面から突出して形成され、環状板の内側周縁にはキャップ付き小びんのキャップ付き部分を保持する保持壁が周設され、保持壁の上下縁内側にはキャップ受け突起が形成された自動販売機用アッタチメントにおいて、前記筒体の上端縁から中央に向けて小びんのキャップを覆う取り出し用のタブが筒体と直角方向に突出して形成されていることを特徴とする、自動販売機用アッタチメントである。
【００１１】
このように請求項２記載の発明によれば、取り出し用のタブが前記筒体の上端縁からキャップを覆うように中央に向けて筒体と直角方向に突出して形成されているので、取り出し用のタブを上から指等で押すのみで、指が筒体の中に入り込むことなくキャップ付き小びんを筒体から押し出すことができる。
【００１２】
また、請求項３の発明は、請求項１又は２の発明において、前記取り出し用タブの内面には、キャップ押さえ壁が垂設されていることを特徴とする、自動販売機用アッタチメントである。
【００１３】
このように請求項３記載の発明によれば、取り出し用タブの内面には、キャップ押さえ壁が垂設されているので、キャップ付きのガラス製小びんを筒体の中でしっかりと保持することができる。
【発明の効果】
【００１４】
このように本発明の自動販売機用アッタチメントを使用することにより、ドリンク用などの小容量のガラスびん入り飲料を一般の自動販売機で販売することができる。
【発明を実施するための最良の形態】
【００１５】
本発明の自動販売機用アッタチメントを一実施形態に基づいて以下に詳細に説明する。本発明の自動販売機用アッタチメントは、例えば、図１、図２に示すように、飲料缶と略同一の外形寸法を有する筒体からなるアタッチメント（１０）であり、一般的には、ポリプロピレン、高密度ポリエチレンなどの剛性を持つ熱可塑性樹脂を射出成形して作製するものである。
【００１６】
そして、筒体（１０）の内側面の対向する位置から中心に向かって突出し、かつ、挿入したガラス製のキャップ付き小びん（２０）の側面に圧接して保持するリブ部（１１）が、複数本設けられている。このリブ部（１１）の上方には、中央が開口した環状板（１２）が筒体の内側面から筒体と直角方向に突出して形成されている。
【００１７】
また、環状板（１２）の中心寄りの周縁にはキャップ付き小びん（２０）のキャップ付き部分（２１）を保持する保持壁（１３）が周設されている。保持壁（１３）の上下縁の内側面にはキャップ受け突起（１４）が形成され、キャップ付き小びんが抜け落ちることを防止している。
【００１８】
そして、保持壁（１３）の先端から小びんのキャップ上面（２２）を覆う取り出し用の
タブ（１５）が筒体（１０）の上端から飛び出さないように突出して形成されている。取り出し用タブ（１５）の内面に、キャップ付き小びん（２０）のキャップ天面（２２）を押さえるキャップ押さえ壁（１６）を垂設しても良い。
【００１９】
自動販売機用アッタチメントはこのような構造からなるので、筒体（１０）の下方開口部からキャップ付き小びん（２０）を挿入すると、小びんの上端のキャップ付き部分（２１）が保持壁（１３）に閉じ込められ、保持壁の上端縁と下端縁に設けたキャップ受け突起（１４、１４）に嵌合すると共に、リブ部（１１）がキャップ付き小びん（２０）の側面に当接して、キャップ付き小びん（２０）は、筒体（１０）の内部にしっかりと保持され、下方側に抜け落ちることがない。
取り出し用タブ（１５）を上から指等で押すだけで、指等を筒体の中に入れることなくキャップ付き小びん（２０）を筒体（１０）から押し出し取り出すことができる。
【００２０】
図３、図４は本発明の自動販売機用アッタチメントの別の実施形態を示す説明図である。
【００２１】
基本的な構造は図１、図２に示す自動販売機用アッタチメントと同様であるが、取り出し用タブ（１７）を筒体（１０）の上端縁から取り付けたものである。以下に簡単に説明する。
【００２２】
すなわち、筒体の上端縁からキャップ天面（２２）を覆うようにびん取り出し用のタブ（１７）を筒体と直角方向に突出して形成させている。
【００２３】
このため、取り出し用タブ（１５）に比較的弱い力を加えるのみでドリンク用などのキャップ付き小びんを筒体（１０）から取り外すことができる。
【図面の簡単な説明】
【００２４】
【図１】本発明の自動販売機用アッタチメントの一実施例（キャップ付き小びんが挿入されている）を示す、（ａ）は部分断面説明図であり、（ｂ）は平面説明図である。
【図２】図１の斜視説明図である。
【図３】本発明の自動販売機用アッタチメントの別の実施例（キャップ付き小びんが挿入されている）を示す、（ａ）は部分断面説明図であり、（ｂ）は平面説明図である。
【図４】図３の斜視説明図である。
【符号の説明】
【００２５】
１０‥‥筒体
１１‥‥リブ部
１２‥‥環状板
１３‥‥保持壁
１４‥‥キャップ受け突起
１５‥‥取り出し用タブ
１６‥‥キャップ押さえ壁
２０‥‥キャップ付き小びん
２１‥‥キャップ付き部分
２２‥‥キャップ天面
【図１】
2005276027.tif 000003
【図２】
2005276027.tif 000004
【図３】
2005276027.tif 000005
【図４】
2005276027.tif 000006